(57)【要約】【課題】画像の書き込み中などに母体ユニットから表示パネルユニットが取り外された場合でも乱れた画像を表示させないようにし得る表示装置を提供する。【解決手段】電気泳動表示装置は、電気泳動表示パネル１０を有する表示パネルユニット１４と、表示パネルユニット１４を着脱自在に接続し、かつ該接続状態にて電気泳動表示パネル１０に画像を書き込むことが可能な母体ユニット６とを備える。表示パネルユニット１４は、該表示パネルユニット１４が母体ユニット６から取り外されたことを検知する取り外し検知回路１１と、補助制御部１２とを有している。この補助制御部１２は、取り外し検知回路１１により表示パネルユニット１４の取り外しが検知されると、予め設定された特定表示駆動を実行する。【選択図】図１
2007316345.tif 000002
【特許請求の範囲】
【請求項１】
メモリー性表示パネルを有する表示パネルユニットと、該表示パネルユニットを着脱自在に接続し、かつ該接続状態にて前記メモリー性表示パネルに画像を書き込むことが可能な母体ユニットと、を備えた表示装置において、
前記表示パネルユニットは、
該表示パネルユニットが前記母体ユニットから取り外されたことを検知する取り外し検知手段と、
該取り外し検知手段により前記表示パネルユニットの取り外しが検知されると、予め設定された特定表示駆動を実行する制御手段と、を有する、
ことを特徴とする表示装置。
【請求項２】
前記制御手段は、前記特定表示駆動として、前記表示パネルユニットの前記母体ユニットからの取り外し後、取り外し直前の表示状態に拘わらず前記メモリー性表示パネルに対する全面白書き込み処理又は全面黒書き込み処理を実行してなる、
請求項１記載の表示装置。
【請求項３】
前記取り外し検知手段は、前記表示パネルユニットが前記母体ユニットから取り外されたタイミングがリセット動作期間、書き込み動作期間及び保持動作期間のうちの何れであるかを判別し、
前記制御手段は、前記取り外し検知手段による前記判別の結果が前記リセット動作期間及び前記書き込み動作期間のうち何れかである場合に、前記全面白書き込み処理又は全面黒書き込み処理を実行してなる、
請求項２記載の表示装置。
【請求項４】
前記メモリー性表示パネルは、ソース電極、ドレイン電極及びゲート電極からなる複数のスイッチング素子を画素ごとに有すると共に、前記ドレイン電極と電気的容量を介して配される共通電極を有し、
前記制御手段は、前記特定表示駆動の実行時に、前記複数のスイッチング素子をすべて同じ導電状態にすることで前記全面白書き込み処理又は前記全面黒書き込み処理を実行してなる、
請求項３記載の表示装置。
【請求項５】
前記制御手段は、前記特定表示駆動として、前記表示パネルユニットの前記母体ユニットからの取り外し直前の表示状態を取り外し後も維持する駆動を実行してなる、
請求項１記載の表示装置。
【請求項６】
前記取り外し検知手段は、前記表示パネルユニットが前記母体ユニットから取り外されたタイミングがリセット動作期間、書き込み動作期間及び保持動作期間のうちの何れであるかを判別し、
前記制御手段は、前記取り外し検知手段による前記判別の結果が前記保持動作期間である場合に、前記表示パネルユニットの取り外し直前の表示状態を取り外し後も維持する駆動を実行してなる、
請求項５記載の表示装置。
【請求項７】
前記メモリー性表示パネルは、ソース電極、ドレイン電極及びゲート電極からなる複数のスイッチング素子を画素ごとに有すると共に、前記ドレイン電極と電気的容量を介して配される共通電極を有し、
前記制御手段は、前記特定表示駆動の実行時に、前記複数のスイッチング素子をすべてオフ状態にすることで、前記表示パネルユニットの取り外し直前の表示状態を取り外し後も維持してなる、
請求項６記載の表示装置。
【請求項８】
前記制御手段は、前記特定表示駆動として、前記表示パネルユニットの前記母体ユニットからの取り外し後、予め設定されている特定画像を前記メモリー性表示パネルに書き込む駆動を実行してなる、
請求項１記載の表示装置。
【請求項９】
前記表示装置は、
前記メモリー性表示パネルを有する第１基板と該表示パネルに対向配置された第２基板との間に帯電泳動粒子及び該粒子を分散させる媒質が封入され、前記第１及び第２基板の少なくとも一方に設けられた第１電極及び第２電極間に電圧を印加して前記媒質中に電界を形成する電気泳動表示装置である、
請求項１ないし８のいずれか１項記載の表示装置。
【発明の詳細な説明】
【技術分野】
【０００１】
本発明は、取り外し可能なメモリー性表示パネルを有する表示装置に係り、特に、メモリー性表示パネルを母体ユニットに着脱自在に接続した状態で該表示パネルに画像を書き込む構成の表示装置に関する。
【背景技術】
【０００２】
従来、非発光型の表示装置として、電圧印加によって粒子を移動させることに基づき表示を行うようにした粒子移動型表示装置が存在している。このような粒子移動型表示装置の一例として、絶縁性液体中に電気泳動粒子を分散させた分散液に電界を印加したときに、電気泳動粒子がクーロン力により移動する電気泳動現象を利用した電気泳動表示装置が挙げられる。
【０００３】
このような電気泳動表示装置の１つとして、着色した絶縁性液体と複数の帯電泳動粒子とからなる分散液を２つの電極間に封入した構成を備えたものが知られている。そして、これら両電極間に電圧を印加すると、電界（電場）の方向によって帯電泳動粒子がどちらか一方の電極に引き付けられることになり、このとき観測者には絶縁性液体の色、または帯電泳動粒子の色が見えることになる。
【０００４】
なお、このような電気泳動表示装置において、電極に引き付けられた帯電泳動粒子は、画素内の電界をゼロにしても、その空間的な状態を保ち、この帯電泳動粒子の空間状態によって表示される表示画像を保持することができる。即ち、この電気泳動表示装置はメモリー性を有し、よって表示書き換え時のみ電源を必要とするため、低消費電力に有効とされている。
【０００５】
ところで、このようなメモリー性を活用した電気泳動表示装置の駆動方法として、次のようなものが知られている。即ち、リセット動作期間にあっては、各画素電極にリセット電圧を書き込む。そして、次の書き込み動作期間にあっては、一定電圧を画像データの指示する階調値に応じた期間だけ、或いは一定期間に画像データの指示する階調値に応じた電圧だけ、各画素電極に印加する駆動方法である。この駆動方法では、表示状態が実質的に所望の階調レベルとなった後の表示画像の保持動作期間では、電気泳動粒子の空間的な分布状態を固定する。そのため、電気泳動粒子が受ける電界をゼロとするように、画素電極と共通電極との間の電位差をゼロにするようにしている（特許文献１及び２参照）。
【０００６】
しかしながら、このような保持動作として、画素電極と共通電極間の電位差を急激にゼロにすると、分散液層に書き込み電圧とは逆極性の反電界（反電場）が発生する場合がある。ここで、帯電泳動粒子の閾値特性が不十分な場合には、この反電界によって帯電泳動粒子が移動し、所望の表示状態を保持できなくなるため、メモリー性を阻害してしまうという問題がある。
【０００７】
この原因の１つとして残留ＤＣが考えられている。ここで、電気泳動表示装置においては、電気泳動表示素子内に電気的な時定数の異なる領域が存在し、この領域間の界面に電荷が蓄積するため、ＤＣ成分が発生する。このＤＣ成分を一般に残留ＤＣと呼ぶ。そして、この残留ＤＣが蓄積すると、画素電極への印加電圧を０Ｖにしても、分散液には印加電圧とは逆極性の反電界が発生する場合があり、この場合には、一部の帯電泳動粒子は反電界の作用を受け書き戻されてしまうため、十分に画像の保持が行なわれない。
【０００８】
そこで、従来は、表示画像の保持動作時に、画素電極と共通電極間の電位差の絶対値を急激にゼロにするのではなく、一定期間内に徐々に減衰させていく動作を行なうことで、残留ＤＣを低減し、これにより反電界の発生を極力抑制するようにしている。
【０００９】
ついで、図３を参照し、この動作について説明する。なお、ここでは典型的な場合を想定し、表示状態が実質的に所望の階調レベルに達し、すべての画素への書き込み動作が終了したのちに、表示画像の保持動作を行なっている。なお、図３は、従来の電気泳動表示装置の画素への印加電圧と光学応答を示すタイミングチャート図である。
【００１０】
図３（ａ）において横軸は時間軸、縦軸は電圧軸であり、実線は電気泳動表示装置の或る画素に対して外部から印加する電圧の一例であり、破線はその際、分散液に実際にかかる実効電圧を示している。また、図３（ｂ）はそのときの光学応答を示している。また、図３におけるＡはリセット動作期間、Ｂは書き込み動作期間、Ｃは保持動作期間を示している。なお、リセット動作期間Ａの前の期間は、前回に行なった表示状態を示している。
【００１１】
まず、時刻ｔ０から時刻ｔ１に至った後のリセット動作期間Ａにおいて、リセット電圧Ｖｒを印加して、前回に行った表示をリセットする。次に、時刻ｔ２に至った後の書き込み動作期間Ｂにおいて、書き込み電圧Ｖｗを印加することにより、電気泳動表示素子内のＴＦＴ素子等を駆動して画素に所望の階調レベルの表示を行なう。
【００１２】
ここで、階調レベルの制御は、書き込み電圧Ｖｗのパルス幅変調或いは振幅変調によって行なう。なお、パルス幅変調を行なう場合は書き込み電圧Ｖｗの長さによって、また電圧振幅変調を行なう場合は書き込み電圧Ｖｗの大きさによって、階調レベルを制御することができる。
【００１３】
次に、時刻ｔ３に至った後の保持動作期間Ｃにおいては、電気泳動粒子に作用する電場をゼロにするために、電極の電位を制御することによって表示保持を行なう。この際、残留ＤＣによって電場が実効的にゼロにならないことを避けるべく、画素電極と共通電極との間の電位差を一定期間内に徐々に減衰させる。なお、このように印加した書き込み電圧Ｖｗを徐々に減衰させる方法として、次の方法がある。即ち、複数フィールドを使用して各フィールドで画素へ電圧印加を行なう度に印加電圧を徐々に減衰させていく方法、或いは、ＴＦＴ素子をオフ（ＯＦＦ）状態にして印加電圧を徐々に減衰させていく方法である。
【００１４】
そして、このような保持動作によって、図３（ｂ）に示した保持動作期間Ｃ及びその期間以降では、光学応答は一定に保持される。このようにして、反電場の発生を極力抑制し、保持特性の改良を行なう。
【００１５】
【特許文献１】特開２００２−１１６７３３号公報
【特許文献２】特開２００２−１１６７３４号公報
【発明の開示】
【発明が解決しようとする課題】
【００１６】
しかし、電子ペーパーのように母体ユニットから取り外しが可能な表示パネルユニットを備えた電気泳動型表示装置では、画素電極と共通電極間の電位差の絶対値を徐々に減衰させる途中で、ユーザーが母体ユニットから表示パネルユニットを取り外す場合がある。この場合、取り外しと同時に、画素内の電界が急激にゼロとなるため、表示状態が乱れる虞れがある。
【００１７】
また、画像を書き込んでいる途中にも、ユーザーが表示パネルユニットを取り外してしまう場合があり、この場合も同様に、取り外しと同時に画素内の電界が急激にゼロとなるため、表示状態が乱れてしまう可能性がある。また、母体ユニットから表示パネルユニットを取り外したと同時に、画像を消去したい、或いは画像を切り替えたいというユーザーも存在する。
【００１８】
そこで、本発明は、上記事情に鑑みてなされたものであり、画像の書き込み中などに母体ユニットから表示パネルユニットが取り外された場合でも乱れた画像を表示させないようにし得る表示装置を提供することを目的とするものである。
【課題を解決するための手段】
【００１９】
本発明は、メモリー性表示パネルを有する表示パネルユニットと、該表示パネルユニットを着脱自在に接続し、かつ該接続状態にて前記メモリー性表示パネルに画像を書き込むことが可能な母体ユニットと、を備えた表示装置において、前記表示パネルユニットは、該表示パネルユニットが前記母体ユニットから取り外されたことを検知する取り外し検知手段と、該取り外し検知手段により前記表示パネルユニットの取り外しが検知されると、予め設定された特定表示駆動を実行する制御手段と、を有することを特徴としている。
【発明の効果】
【００２０】
本発明によれば、画像の書き込み中などに母体ユニットから表示パネルユニットが取り外されたとしても、取り外し検知手段が当該取り外しを検知した際に、予め設定された特定表示駆動が制御手段により実行される。これにより、取り外されたメモリー性表示パネルに乱れた画像が表示される不具合を確実に防止することができる。
【発明を実施するための最良の形態】
【００２１】
＜第１の実施形態＞
以下、本発明に係る第１の実施形態について図面を用いて詳細に説明する。なお、図１は、本発明に係る取り外し可能なメモリー性表示パネルを有する表示装置の一実施形態としての電気泳動表示装置を模式的に示すブロック構成図である。
【００２２】
図１に示すように、電気泳動表示装置は、母体ユニット６と、この母体ユニット６に対して取り外し可能に接続される表示パネルユニット１４とを有している。母体ユニット６は、グラフィックメモリー（ＲＡＭ）１、中央演算処理装置（ＣＰＵ）２、グラフィックコントローラ（ＧＣ）３、パネル制御部４、及び電源５を有している。表示パネルユニット１４は、データ線駆動回路８、走査線駆動回路９、メモリー性表示パネルとしての電気泳動表示パネル１０、取り外し検知手段としての取り外し検知回路１１、制御手段としての補助制御部１２、及び補助電源１３を有している。
【００２３】
母体ユニット６側において、グラフィックコントローラ３は、中央演算処理装置２の指令に基づき、グラフィックメモリー１の画像データを情報転送クロックに従ってパネル制御部４に送信する。パネル制御部４は、グラフィックコントローラ３からの画像データに基づいてフィールド同期信号、水平同期信号、データ取り込みクロック等の制御信号、及び表示データを生成し、データ線駆動回路８、走査線駆動回路９に転送する。
【００２４】
そして、データ線駆動回路８及び走査線駆動回路９は、パネル制御部４より受信した制御信号、表示データに従って、電気泳動表示パネル１０に駆動電圧を出力して表示を行なう。また、電源５は、システムを構成する各部への電力供給を行なう。
【００２５】
表示パネルユニット１４側において、取り外し検知回路１１は、この表示パネルユニット１４が母体ユニット６から取り外されたことを電気的に検知する回路であり、その情報は補助制御部１２に伝送される。
【００２６】
補助制御部１２は、取り外し検知回路１１からの情報を受けて、表示パネルユニット１４が取り外された直後から電気泳動表示パネル１０への制御を開始する。この際、補助電源１３は、補助制御部１２、データ線駆動回路８及び走査線駆動回路９を、一定の期間だけ動作させるための電力を供給する。
【００２７】
そして、電気泳動表示パネル１０は、第１電極である画素電極及び第２電極である共通電極に駆動電圧を供給（印加）することで画素電極と共通電極間に生じる電界によって、絶縁性液体中に分散された帯電泳動粒子を移動させる。これにより、電気泳動表示素子からなる１画素あたりの電気泳動表示素子２１（図２参照）に画像を表示させる。この電気泳動表示パネル１０は、１画素あたりの電気泳動表示素子２１（図２参照）を複数備えている。
【００２８】
次に、図２に沿って、電気泳動表示パネル１０における一画素の回路構成について説明する。なお、同図は、電気泳動表示パネル１０において互いに同じ構成を有する複数の画素のうちの１つの回路構成を模式的に表した図である。
【００２９】
同図では、複数のゲートライン（走査線）２３とソースライン（データ線）２４とがマトリクス状に配設されているが、図２では、それらのうちの１部位に関して抜粋して示している。同図に示すように、ゲートライン２３とソースライン２４との交差部分には、アクティブマトリクス駆動表示用の薄膜トランジスタ２２（Thin  Film  Transistor：以下、ＴＦＴ２２と称する）が接続されている。ＴＦＴ２２には、画素２７が接続されている。
【００３０】
画素２７は、画素電極２１ａがＴＦＴ２２のドレイン電極２２ａに接続され、かつ電気泳動表示素子２１及び補助容量２５を有しており、電気泳動表示素子２１は共通電極２６に対し共通に接続されて電圧Ｖｃｏｍが印加されている。また補助容量２５は、電気泳動表示素子２１に並列に接続され、電極の一端をＴＦＴ２２のドレイン電極２２ａに接続し、他端を共通電極２６に接続している。さらに、ＴＦＴ２２のゲート電極２２ｂはゲートライン２３に接続され、ＴＦＴ２２のソース電極２２ｃはソースライン２４に接続されている。
【００３１】
ここで、このような回路構成において、走査線駆動回路９から出力された駆動電圧に従い、或るゲートライン２３がアクティブになると、そのゲートライン２３に接続された全ＴＦＴ２２はオン状態となる。このときデータ線駆動回路８から出力された駆動電圧が、ＴＦＴ２２を介して画素２７に印加される。複数のゲートライン２３は順次走査され、それに対応してソースライン２４に駆動電圧が印加されることにより、画素２７それぞれの電気泳動表示素子２１に所望の駆動電圧が印加されて、表示が行なわれる。
【００３２】
次に、本実施形態で用いる電気泳動表示パネル１０の動作について、先に説明した図３を用いて説明することとする。
【００３３】
まず、或る階調レベルに書き込まれて保持状態である電気泳動表示パネル１０の各１画素あたりの電気泳動表示素子２１に対し、リセット動作期間Ａにおいて電圧Ｖｒを印加して階調レベルを黒にリセットする。その後、書き込み動作期間Ｂにおいて、画素電極２１ａと共通電極２６との間に電圧Ｖｗを印加して、所望の階調レベルにする。その後、保持動作期間Ｃにおいて、画素電極２１ａと共通電極２６との間の電位差を、一定期間内に徐々に減衰させる。その後は、休止期間を示し、１画素あたりの電気泳動表示素子２１内の電界がゼロの状態で表示状態を維持している。
【００３４】
次に、ユーザーが母体ユニット６から表示パネルユニット１４を取り外した際の駆動について説明する。
【００３５】
ここで、ユーザーが母体ユニット６から表示パネルユニット１４を取り外すタイミングは、以下の場合が想定される。
（１）リセット動作期間Ａ
（２）書き込み動作期間Ｂ
（３）保持動作期間Ｃ
（４）これらの期間Ａ、Ｂ、Ｃ以外の期間
【００３６】
以下、上記タイミング１〜４のそれぞれにおける駆動について述べる。
【００３７】
［タイミング１］
リセット動作期間Ａのタイミングで、表示パネルユニット１４が母体ユニット６から取り外された場合、取り外し検知回路１１は取り外されたことを検知し、その情報を補助制御部１２に送信する。また取り外し検知回路１１は、取り外し直前にパネル制御部４から出力されていたリセット動作期間を示す信号に基づき、リセット動作期間Ａであることを判別し、その情報を補助制御部１２に送信する。
【００３８】
これにより、補助制御部１２は、それらの情報を受けて、全面白（或いは全面黒）を電気泳動表示パネル１０に書き込むように駆動する。その際の駆動は、走査線駆動回路９のすべての出力段をハイ（High）状態にし、電気泳動表示パネル１０のすべての１画素あたりの電気泳動表示素子２１のＴＦＴ２２をオン（ＯＮ）状態にして、全面白（或いは全面黒）を書き込む。この時、補助電源１３は、電気泳動表示パネル１０を全面白（或いは全面黒）に書き込む一定期間だけ電力を供給すればよい。以上のようにして、ユーザーがリセット動作期間Ａ中に母体ユニット６から表示ユニット１４を取り外したためにリセットが未完了の場合であっても、乱れた画像が表示されることを回避することができる。
【００３９】
［タイミング２］
書き込み動作期間Ｂのタイミングで母体ユニット６から表示ユニット１４が取り外された場合、取り外し検知回路１１は取り外されたことを検知し、その情報を補助制御部１２に送信する。また取り外し検知回路１１は、取り外し直前にパネル制御部４から出力されていた信号に基づき、書き込み動作期間Ｂであることを判別し、その情報を補助制御部１２に送信する。その後は、上記タイミング１におけるリセット動作期間Ａと同様にして、全面白（或いは全面黒）を電気泳動表示パネル１０に書き込むように駆動する。以上のようにして、ユーザーが書き込み動作期間Ｂ中に母体ユニット６から表示ユニット１４を取り外したために書き込みが未完了の場合であっても、乱れた画像が表示されることを回避することができる。
【００４０】
以上のように、補助制御部１２が、予め設定された特定表示駆動として、表示パネルユニット１４の母体ユニット６からの取り外し後、取り外し直前の表示状態に拘わらず、電気泳動表示パネル１０に対する全面白書き処理込み又は全面黒書き込み処理を実行する。
【００４１】
即ち、取り外し検知回路１１が、表示パネルユニット１４が母体ユニット６から取り外されたタイミングがリセット動作期間Ａ、書き込み動作期間Ｂ及び保持動作期間Ｃのうちの何れであるかを判別する。補助制御部１２が、取り外し検知回路１１による判別の結果がリセット動作期間Ａ及び書き込み動作期間Ｂのうち何れかである場合に、全面白書き込み処理又は全面黒書き込み処理を実行する。電気泳動表示パネル１０は、ソース電極２２ｃ、ドレイン電極２２ａ及びゲート電極２２ｂからなる複数のＴＦＴ２２を画素ごとに有し、かつドレイン電極２２ａと電気的容量を介して配される共通電極２６を有している。そして、補助制御部１２は、特定表示駆動の実行時に、複数のＴＦＴ２２をすべて同じ導電状態（即ち、すべてオン状態又はすべてオフ状態）にすることで全面白書き込み処理又は全面黒書き込みを実行することができる。
【００４２】
［タイミング３］
保持動作期間Ｃのタイミングで母体ユニット６から表示ユニット１４が取り外された場合、取り外し検知回路１１は取り外されたことを検知し、その情報を補助制御部１２に送信する。また取り外し検知回路１１は、取り外し直前にパネル制御部４から出力されていた信号に基づき、保持動作期間Ｃであることを判別し、その情報を補助制御部１２に送信する。補助制御部１２は、それらの情報を受けて、電気泳動表示パネル１０の１画素あたりの電気泳動表示素子２１それぞれの画素電極２１ａと共通電極２６との間の電位差を、一定期間内で徐々に減衰させる。その際の駆動は、走査線駆動回路９のすべての出力段をロー（Low）状態にして、電気泳動表示パネル１０のすべての１画素あたりの電気泳動表示素子２１のＴＦＴ２２をオフ（ＯＦＦ）状態にして、補助容量２５に貯まっていた電荷を徐々にリークさせる。以上のようにして、ユーザーが保持動作期間Ｃ中に母体ユニット６から表示ユニット１４を取り外しても、表示画像のメモリーを完了することができる。
【００４３】
以上のように、補助制御部１２が、予め設定された特定表示駆動として、表示パネルユニット１４の母体ユニット６からの取り外し直前の表示状態を取り外し後も維持する駆動を実行する。
【００４４】
即ち、取り外し検知回路１１が、表示パネルユニット１４が母体ユニット６から取り外されたタイミングがリセット動作期間Ａ、書き込み動作期間Ｂ及び保持動作期間Ｃのうちの何れであるかを判別する。補助制御部１２が、取り外し検知回路１１による判別の結果が保持動作期間Ｃである場合に、表示パネルユニット１４の取り外し直前の表示状態を取り外し後も維持する駆動を実行する。電気泳動表示パネル１０は、ソース電極２２ｃ、ドレイン電極２２ａ及びゲート電極２２ｂからなる複数のＴＦＴ２２を画素ごとに有し、かつドレイン電極２２ａと電気的容量を介して配される共通電極２６を有している。そして、補助制御部１２が、特定表示駆動の実行時に、複数のＴＦＴ２２をすべてオフ状態にすることで、表示パネルユニット１４の取り外し直前の表示状態を取り外し後も維持することができる。
【００４５】
このように、画像のリセット中や書き込み中に母体ユニット６から表示パネルユニット１４が取り外されたとしても、取り外し検知回路１１が当該取り外しを検知した際に、予め設定された特定表示駆動が補助制御部１２により実行される。このため、取り外された電気泳動表示パネル１０に乱れた画像が表示される不具合が確実に防止できる。
【００４６】
［タイミング４］
リセット動作期間Ａ、書き込み動作期間Ｂ、保持動作期間Ｃ以外の期間のタイミングで母体ユニット６から表示ユニット１４が取り外された場合、電気泳動表示パネル１０は既に表示画像のメモリーを完了しているので、問題はない。このように、ユーザーが母体ユニット６から表示パネルユニット１４を取り外しても、乱れた画像が表示されることを防止することが可能となる。
【００４７】
＜第２の実施形態＞
ここで、第１の実施形態を一部変更した第２の実施形態について説明する。すなわち、第１の実施形態における取り外し可能なメモリー性表示装置の一例である電気泳動表示装置では、例えば、セキュリティの観点から取り外し直後に全面白（或いは全面黒）を書き込んでおきたいというユーザーも存在する。
【００４８】
その場合には、第１の実施形態におけるタイミング３またはタイミング４で取り外された場合においても、第１の実施形態におけるリセット動作期間Ａのタイミング１で取り外された場合と同様の駆動を行う。これにより、ユーザーが母体ユニット６から表示パネルユニット１４を取り外した直後に、全面白（或いは全面黒）に書き換えることができる。
【００４９】
即ち、補助制御部１２が、特定表示駆動として、表示パネルユニット１４の母体ユニット６からの取り外し直後に、予め設定されている特定画像（固定画像）として、全面白（或いは全面黒）を電気泳動表示パネル１０に書き込むように駆動することができる。この場合も、取り外された電気泳動表示パネル１０に乱れた画像が表示される不具合を確実に防止することができる。
【００５０】
なお、第１、第２の実施形態では、グラフィックメモリー１、中央演算処理装置２、グラフィックコントローラ３、パネル制御部４、電源５を母体ユニット６側に、取り外し検知回路１１、補助制御部１２、補助電源１３を表示パネルユニット１４側に備えていた。しかし本発明は、当該電気泳動表示装置に限らず、例えば、表示パネルユニット１４側にグラフィックメモリー１、中央演算処理装置２、グラフィックコントローラ３、パネル制御部４、電池、取り外し検知回路１１を備えた電気泳動表示装置への適用も可能である。その場合、母体ユニット６側には、画像情報伝達回路、充電回路などを備えることができる。
【００５１】
また、第１及び第２の実施形態では、電気泳動表示装置の各１画素あたりの電気泳動表示素子２１に接続されるスイッチング素子として、ＴＦＴ２２を用いたアクティブマトリックス方式を例に挙げて説明した。しかし本発明は、ＴＦＴを用いたアクティブマトリックス方式に限定されるものではなく、ＴＦＤ（Thin  Film  Diode）など他のスイッチング素子を用いたアクティブマトリックス方式、またセグメント方式、単純マトリックス方式にも適用できる。
【００５２】
さらに、本発明は、上下移動型電気泳動表示装置に対しても、水平移動型電気泳動表示装置に対しても適用することができる。また、帯電泳動粒子と分散媒を多数のマイクロカプセルのそれぞれに内包させるように構成した電気泳動表示素子を備えた電気泳動表示装置にも適用可能である。また本発明は、電気泳動表示装置への適用に限定されるものではない。他の表示メモリー性をもつ表示装置、例えばトナーディスプレイ（信学技報ＥＩＤ９９−１５４、Ｐ７（２０００）、千葉大）、Ｇｙｒｉｃｏｎ（ＳＩＤ‘７７  Ｄｉｇｅｓｔ、ｐ１１４、ゼロックス）などにも適用可能である。
【図面の簡単な説明】
【００５３】
【図１】本発明に係る第１の実施形態における表示装置の一例である電気泳動表示装置を模式的に示すブロック構成図。
【図２】本発明に係る第１の実施形態における表示装置の一例である電気泳動表示装置の各画素を示す回路構成図。
【図３】従来の電気泳動表示装置の画素への印加電圧と光学応答を示すタイミングチャート図。
【符号の説明】
【００５４】
１          グラフィックメモリー
２          中央演算処理装置
３          グラフィックコントローラ
４          パネル制御部
５          電源
６          母体ユニット
８          データ線駆動回路
９          走査線駆動回路
１０        メモリー性表示パネル（電気泳動表示パネル）
１１        取り外し検知手段（取り外し検知回路）
１２        制御手段（補助制御部）
１３        補助電源
１４        表示パネルユニット
２１        電気泳動表示素子２１
２２        ＴＦＴ
２３        ゲートライン
２４        ソースライン
２５        補助容量
【図１】
2007316345.tif 000003
【図２】
2007316345.tif 000004
【図３】
2007316345.tif 000005